(57)【要約】【課題】より適切な眼鏡用レンズの色を選定する。【解決手段】処理端末１は、眼鏡用のレンズの色を決定する処理端末１であって、２つの異なる色の情報を取得し、取得した２つの異なる色の情報を基に、少なくとも１色の眼鏡のレンズ色を決定し、決定したレンズ色の情報を出力する色決定処理部３１を有する。【選択図】図１
2020112705.tif 000002
【特許請求の範囲】
【請求項１】
眼鏡用のレンズの色を決定する眼鏡用レンズ色の決定装置であって、
２つの異なる色の情報を取得する色取得手段と、
前記色取得手段が取得した２つの異なる色の情報を基に、少なくとも１色の眼鏡のレンズ色を決定する決定手段と、
前記決定手段が決定したレンズ色の情報を出力する出力手段と、
を有する眼鏡用レンズ色の決定装置。
【請求項２】
２つの異なる色の組み合わせとレンズ色とが対応付けられたデータベースを記憶する記憶手段をさらに有し、
前記決定手段は、前記データベースを参照し前記色取得手段が取得した２つの異なる色の組み合わせに対応するレンズ色を選択して前記眼鏡のレンズ色に決定する請求項１に記載の眼鏡用レンズ色の決定装置。
【請求項３】
２つの異なる色の組み合わせと、２つの異なる色の何れか一方の色に対応するレンズ色、２つの異なる色の何れか他方の色に対応するレンズ色、及び２つの異なる色の組み合わせに対応するレンズ色とが対応付けられたデータベースを記憶する記憶手段をさらに有し、
前記決定手段は、前記データベースを参照し前記色取得手段が取得した２つの異なる色の組み合わせに対応するレンズ色を選択して前記眼鏡のレンズ色に決定する請求項１又は２に記載の眼鏡用レンズ色の決定装置。
【請求項４】
眼鏡用のレンズの色を決定する眼鏡用レンズ色の決定方法であって、
２つの異なる色の情報を取得する色取得工程と、
前記色取得工程で取得した２つの異なる色の情報を基に、少なくとも１色の眼鏡のレンズ色を決定する決定工程と、
前記決定工程で決定したレンズ色の情報を出力する出力工程と、
を有する眼鏡用レンズ色の決定方法。
【請求項５】
眼鏡用のレンズの色を決定するためのコンピュータ用のコンピュータプログラムであって、
色取得手段が、２つの異なる色の情報を取得する色取得工程と、
決定手段が、前記色取得工程で取得した２つの異なる色の情報を基に、少なくとも１色の眼鏡のレンズ色を決定する決定工程と、
出力手段が、前記決定工程で決定したレンズ色の情報を出力する出力工程と、
をコンピュータに実行させるコンピュータプログラム。
【発明の詳細な説明】
【技術分野】
【０００１】
本発明は、眼鏡用レンズの色を選ぶ技術に関する。
【背景技術】
【０００２】
従来より、眼鏡用レンズの色を選択する装置がある（例えば特許文献１）。
【先行技術文献】
【特許文献】
【０００３】
【特許文献１】特開２００６−１７７９１
【発明の概要】
【発明が解決しようとする課題】
【０００４】
本発明の目的は、眼鏡用レンズの色をより適切に選定することである。
【課題を解決するための手段】
【０００５】
前記課題を解決するために、本発明の第１の態様は、眼鏡用のレンズの色を決定する眼鏡用レンズ色の決定装置であって、２つの異なる色の情報を取得する色取得手段と、前記色取得手段が取得した２つの異なる色の情報を基に、少なくとも１色の眼鏡のレンズ色を決定する決定手段と、前記決定手段が決定したレンズ色の情報を出力する出力手段と、を有する眼鏡用レンズ色の決定装置である。
【０００６】
本発明の第２の態様では、２つの異なる色の組み合わせとレンズ色とが対応付けられたデータベースを記憶する記憶手段をさらに有し、前記決定手段は、前記データベースを参照し前記色取得手段が取得した２つの異なる色の組み合わせに対応するレンズ色を選択して前記眼鏡のレンズ色に決定することが好ましい。
【０００７】
本発明の第３の態様では、２つの異なる色の組み合わせと、２つの異なる色の何れか一方の色に対応するレンズ色、２つの異なる色の何れか他方の色に対応するレンズ色、及び２つの異なる色の組み合わせに対応するレンズ色とが対応付けられたデータベースを記憶する記憶手段をさらに有し、前記決定手段は、前記データベースを参照し前記色取得手段が取得した２つの異なる色の組み合わせに対応するレンズ色を選択して前記眼鏡のレンズ色に決定することが好ましい。
【０００８】
前記課題を解決するために、本発明の第４の態様は、眼鏡用のレンズの色を決定する眼鏡用レンズ色の決定方法であって、２つの異なる色の情報を取得する色取得工程と、前記色取得工程で取得した２つの異なる色の情報を基に、少なくとも１色の眼鏡のレンズ色を決定する決定工程と、前記決定工程で決定したレンズ色の情報を出力する出力工程と、を有する眼鏡用レンズ色の決定方法である。
【０００９】
前記課題を解決するために、本発明の第５の態様は、眼鏡用のレンズの色を決定するためのコンピュータ用のコンピュータプログラムであって、色取得手段が、２つの異なる色の情報を取得する色取得工程と、決定手段が、前記色取得工程で取得した２つの異なる色の情報を基に、少なくとも１色の眼鏡のレンズ色を決定する決定工程と、出力手段が、前記決定工程で決定したレンズ色の情報を出力する出力工程と、をコンピュータに実行させるコンピュータプログラムである。
【発明の効果】
【００１０】
本発明の前記第１の態様によれば、眼鏡用レンズ色の決定装置は、２つの異なる色の情報を基に、眼鏡のレンズ色をより適切に選定できる。
【００１１】
本発明の前記第２の態様によれば、眼鏡用レンズ色の決定装置は、データベースを利用することで簡易に眼鏡のレンズ色を選定できる。
【００１２】
本発明の前記第３の態様によれば、眼鏡用レンズ色の決定装置は、データベースを利用することで簡易に眼鏡のレンズ色を選定できる。
【００１３】
本発明の前記第４の態様によれば、眼鏡用レンズ色の決定方法は、２つの異なる色の情報を基に、眼鏡のレンズ色をより適切に選定できる。
【００１４】
本発明の前記第５の態様によれば、コンピュータプログラムは、２つの異なる色の情報を基に、眼鏡の左右それぞれのレンズ色をより適切に選定できる。
【図面の簡単な説明】
【００１５】
【図１】図１は、処理端末の構成の一例を示す図である。
【図２】図２は、色決定用データベースの一例を示す図である。
【図３】図３は、色決定処理の一例を示すフローチャートである。
【図４】図４は、色選択用画面での色の選択操作例を示す図である。
【図５】図５は、出力画面の一例を示す図である。
【発明を実施するための形態】
【００１６】
本発明の実施形態を図面を参照しつつ説明する。
本実施形態では、眼鏡用レンズの色の選定を支援する処理端末を挙げている。
【００１７】
（構成）
図１は、処理端末１の構成の一例を示す図である。処理端末１は、携帯可能な通信端末であって、タブレット、又はスマートフォン等の携帯電話である。以下では、処理端末１が、携帯電話である場合を例に説明する。
【００１８】
図１に示すように、処理端末１は、移動体通信部２、通信部３、タッチパネル部１０、スピーカ４、マイク５、カメラ６、記憶部２０、及び処理部３０を有している。ここで、移動体通信部２は、電話通信を行うものとして機能する。通信部３は、有線又は無線でインターネット回線等を介してサーバ等の装置との間で通信を行う。タッチパネル部１０は、タッチパネル部１０における画像表示機能を担う画像表示部１１、及びタッチパネル部１０における情報入力機能を担う接触検出部１２を有している。記憶部２０は、例えば、ＲＯＭ、ＲＡＭ等である。処理部３０は、処理端末１における各種処理を実行する。処理部３０は、例えば、マイクロコンピュータ及びその周辺回路を備え、例えば、ＣＰＵ、ＲＯＭ、ＲＡＭ等によって構成されている。ＲＯＭには、１又は２以上のプログラムが格納されている。ＣＰＵは、ＲＯＭに格納されている１又は２以上のプログラムに従って各種処理を実行する。そして、処理部３０は、必要に応じて、記憶部２０に記憶されている各種データや各種プログラムに従って各種処理を実行する。例えば、記憶部２０に記憶されているプログラム２１は、アプリケーションプログラムである。また、本例では、記憶部２０には、色決定用データベース２２が記憶されている。処理部３０は、色決定用データベース２２を参照して色決定処理を実行する色決定処理部３１を有している。
【００１９】
図２は、色決定用データベース２２の一例を示す図である。
【００２０】
図２に示すように、色決定用データベース２２では、第１選択及び第２選択色と、第１乃至第４候補レンズ色とが対応付けられている。ここで、第１候補レンズ色は、第１選択色に対応する色である。例えば、第１候補レンズ色は、第１選択色と同一色又は同系色、或いは予め設定された色である。また、第２候補レンズ色は、第２選択色に対応する色である。例えば、第２候補レンズ色は、第２選択色と同一色又は同系色、或いは予め設定された色である。また、第３及び第４候補レンズ色は、第１選択色と第２選択色との組み合わせから選定した２色である。そして、第１乃至第４候補レンズ色は、実際の眼鏡レンズの色として再現可能な色である。例えば、第１選択色及び第２選択色ともに、赤色、青色、緑色、黄色、黒色、白色の何れかの色である。このような場合、色決定用データベース２２では、赤色、青色、緑色、黄色、黒色、白色の何れかの色となる第１選択色と、赤色、青色、緑色、黄色、黒色、白色の何れかの色となる第２選択色との組み合わせと、第１乃至第４候補レンズ色とが対応付けられることになる。第１乃至第４候補レンズ色は、経験値、計算値、理論値等によって、又は統計的に構成されている。
【００２１】
色決定処理部３１は、この色決定用データベース２２を参照し色決定処理を実行する。
【００２２】
図３は、色決定処理の一例を示すフローチャートである。
【００２３】
図３に示すように、先ずステップＳ１の処理として、色決定処理部３１は、画像表示部１１に色選択用画面を表示する。
【００２４】
続くステップＳ２の処理として、色決定処理部３１は、使用者に操作されて色選択用画面で第１色目が選択されたか否かを判定する。色決定処理部３１は、第１色目が選択されたと判定したときに、ステップＳ３の処理に進む。
【００２５】
ステップＳ３の処理として、色決定処理部３１は、使用者に操作されて色選択用画面で第２色目が選択されたか否かを判定する。色決定処理部３１は、第２色目が選択されたと判定すると、ステップＳ４の処理に進む。一方、色決定処理部３１は、第２色目が選択されていないと判定すると、ステップＳ２の処理に戻る。
【００２６】
このステップＳ２及びステップＳ３の処理によって、色決定処理部３１は、色選択用画面で使用者に第１色目及び第２色目を選択させる。
【００２７】
図４は、色選択用画面１００での色の選択操作例を示す図である。
【００２８】
図４に示すように、色選択用画面１００には、赤色、青色、緑色、黄色、黒色、白色の表示１０１，１０２，１０３，１０４，１０５，１０６がなされ、各色の表示１０１〜１０６の横に優先順位を示す値が選択可能に表示される。例えば、プルダウンによって「１番」、「２番」の値１０７，１０８が表示可能になっている。図４に示す例では、青色１０２が「１番」の値１０７が付与されて第１色目として選択され、黄色１０４が「２番」の値１０８が付与されて第２色目として選択されている。これにより、色決定処理部３１は、第１色目として青色、第２色目として黄色の情報を取得する。
【００２９】
ステップＳ４の処理として、色決定処理部３１は、ステップＳ２及びステップＳ３の処理で選択された第１色目を第１選択色とし、第２色目を第２選択色とし、色決定用データベース２２を参照し、第１選択色及び第２選択色に対応する第１乃至第４候補レンズ色である４色のレンズ色を眼鏡のレンズ色（候補のレンズ色）として決定をする。例えば、図４に示すように色が選択された場合、色決定処理部３１は、色決定用データベース２２を参照し、青色と黄色の組み合わせに対応付けられている第１乃至第４候補レンズ色を眼鏡のレンズ色として決定をする。
【００３０】
続くステップＳ５の処理として、色決定処理部３１は、ステップＳ４の処理で決定した４色のレンズ色（候補のレンズ色）を画像表示部１１に出力する。
【００３１】
図５は、出力画面の一例を示す図である。
【００３２】
図５に示すように、出力画面２００には、決定した４色のレンズ色の表示２０１，２０２，２０３，２０４を行う。図５に示す例では、出力画面２００には、決定したレンズ色（候補のレンズ色）として、ブルー、イエロー、グリーン、ターコイズの４色の表示２０１，２０２，２０３，２０４がなされる。例えば、出力画面２００は、第１候補レンズ色、第２候補レンズ色、第３候補レンズ色、第４候補レンズ色の順序になるように上から下に向け決定した４色のレンズ色を並べて表示する。
【００３３】
さらに、図５に示す例では、決定した４色のレンズ色の横に左目及び右目のレンズ色の選択ができるように、使用者が処理端末１を操作しチェックマークを入れることができるようになっている。この例では、ターコイズの表示２０４の横にチェックマーク２０５が入れられ、グリーンの表示２０３の横にチェックマーク２０６が入れられて、使用者がターコイズを左目のレンズ色として選択し、グリーンを右目のレンズ色として選択したときの表示になっている。
【００３４】
（動作、作用等）
次に、処理端末１の動作、及びその作用等の一例について説明する。
【００３５】
処理端末１では、色決定処理部３１は、画像表示部１１に表示した色選択用画面にて使用者が第１色目及び第２色目を選択すると、色決定用データベース２２を参照し、その選択された第１色目（第１選択色）及び第２色目（第２選択色）に対応付けられている第１乃至第４候補レンズ色をレンズ色として決定する。そして、色決定処理部３１は、決定したレンズ色を画像表示部１１の出力画面に表示する。これにより、例えば、使用者は、表示されたレンズ色を指定してメーカに眼鏡製作を依頼できるようになる。
【００３６】
例えば、処理端末１にて選択する第１色目及び第２色目を以下のように決めることで、体に合った眼鏡のレンズ色の選定が可能になる。
【００３７】
先ず、事前の準備として、処理端末１の他に、赤色、青色、緑色、黄色、黒色、白色の６色の色紙を用意する。それから、これから眼鏡を提供する対象者に対し次のような行為を行う。先ず第１ステップとして、対象者に片足（例えば、右足）を上げて立ってもらう。次に第２ステップとして、上げた足側の肩（例えば、右肩）を下に押す。そのときの体幹バランス（例えば、体の軸のぶれ）を対象者に確認してもらう。次に第３ステップとして、対象者に上げた足ではない側の手（例えば、左手）で、一つ選んだ色の折り紙を持ってもらい、それを見ながら、そのときの体幹バランス（例えば、体の軸のぶれ）を確認してもらう。そして、全６色について第３ステップを繰り返し、対象者に体幹バランスが良かった順番で色を２つ選んでもらう。
【００３８】
そして、その選んだ２色を、処理端末１の画像表示部１１に表示した色選択用画面にて選択する。これにより、処理端末１では、色決定処理部３１は、画像表示部１１に表示した色選択用画面にて第１色目及び第２色目が選択されると、色決定用データベース２２を参照し、その選択された第１色目（第１選択色）及び第２色目（第２選択色）に対応付けられている第１乃至第４候補レンズ色をレンズ色として決定する。そして、色決定処理部３１は、決定したレンズ色を画像表示部１１に表示する。このように表示されたレンズ色のレンズによって製作された眼鏡は、対象者の体に適合したものになる。
【００３９】
このような用途の場合、色決定用データベース２２における第１選択色及び第２選択色と、これらに対応付けられている第１乃至第４候補レンズ色との間には、第１選択色及び第２選択色を選択した対象者が当該選択色に対応付けられている第１乃至第４候補レンズ色の眼鏡を着用すると、当該眼鏡のレンズが当該対象者の体に適合する可能性が高くなるといった関係が成立している。
【００４０】
（本実施形態における効果）
（１）処理端末１は、２つの異なる色の情報を基に、眼鏡のレンズ色をより適切に選定できる。
【００４１】
（２）処理端末１は、データベースを利用することで簡易に眼鏡のレンズ色を選定できる。
【００４２】
なお、前記実施形態において、処理端末１は、例えば、眼鏡用レンズ色の決定装置を構成する。また、色決定処理部３１は、例えば、色取得手段、決定手段、及び出力手段を構成する。
【００４３】
（本実施形態の変形例等）
本実施形態の変形例として、色決定処理部３１は、第１色目（第１選択色）及び第２色目（第２選択色）を基に、眼鏡のレンズ色を１色だけ決定することもできる。この場合、例えば、色決定処理部３１は、第１色目（第１選択色）及び第２色目（第２選択色）を基に、第１乃至第４候補レンズ色のうちの何れか１つのレンズ色を選定する。例えば、色決定処理部３１は、第１色目（第１選択色）及び第２色目（第２選択色）を基に、第３及び第４候補レンズ色のうち何れか１つのレンズ色を選定する。このような場合、色決定用データベース２２は、第１選択及び第２選択色の組み合わせと、第１乃至第４候補レンズ色のうちの何れか１つのレンズ色とが対応付けられる。又は、色決定用データベース２２において、第１乃至第４候補レンズ色に優先度が付けられており、色決定処理部３１は、第１色目（第１選択色）及び第２色目（第２選択色）の組み合わせ並びに優先度を基に、第１乃至第４候補レンズ色のうちの何れか１つのレンズ色を選定する。
【００４４】
また、色決定処理部３１は、第１色目（第１選択色）及び第２色目（第２選択色）を基に、眼鏡のレンズ色を２色だけ決定することもできる。この場合、例えば、色決定処理部３１は、第１色目（第１選択色）及び第２色目（第２選択色）を基に、第３及び第４候補レンズ色をレンズ色に決定する。
【００４５】
また、本実施形態の変形例として、処理端末１は、前述のようなデータベースを用いることなく演算式だけによって、第１色目（第１選択色）及び第２色目（第２選択色）を基にレンズ色を決定することもできる。
【００４６】
また、本実施形態の変形例として、処理端末１は、第１色目（第１選択色）及び第２色目（第２選択色）に応じて、出力画面に表示するレンズ色の順序を変化させることができる。すなわち、処理端末１は、色の選択順序に応じて出力画面に表示するレンズ色の順序を変化させることができる。この場合、処理端末１は、同じ色が選択されてもその選択順序に応じて、出力画面に表示するレンズ色の順序を変化させる。
【００４７】
また、本実施形態の変形例として、他の実施形態として、眼鏡用のレンズの他にコンタクトレンズにも適用することができる。この場合、処理端末１は、コンタクトレンズの色を決定するレンズ色の決定装置であって、２つの異なる色の情報を取得する色取得手段と、前記色取得手段が取得した２つの異なる色の情報を基に、少なくとも１色のコンタクトレンズの色を決定する決定手段と、前記決定手段が決定したコンタクトレンズの色の情報を出力する出力手段と、を有する。
【００４８】
また、前述の実施形態では、眼鏡用のレンズの色を決定する眼鏡用レンズ色の決定方法であって、２つの異なる色の情報を取得する色取得工程と、前記色取得工程で取得した２つの異なる色の情報を基に、少なくとも１色の眼鏡のレンズ色を決定する決定工程と、前記決定工程で決定したレンズ色の情報を出力する出力工程と、を有する眼鏡用レンズ色の決定方法を実現している。
【００４９】
また、前述の実施形態では、眼鏡用のレンズの色を決定するためのコンピュータ用のコンピュータプログラムであって、色取得手段が、２つの異なる色の情報を取得する色取得工程と、決定手段が、前記色取得工程で取得した２つの異なる色の情報を基に、少なくとも１色の眼鏡のレンズ色を決定する決定工程と、出力手段が、前記決定工程で決定したレンズ色の情報を出力する出力工程と、をコンピュータに実行させるコンピュータプログラムを実現している。
【００５０】
また、本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００５１】
１  処理端末、１０  タッチパネル部、１１  画像表示部、１２  接触検出部、２０  記憶部、２１  プログラム、２２  色決定用データベース、３０  処理部、３１  色決定処理部
【図１】
2020112705.tif 000003
【図２】
2020112705.tif 000004
【図３】
2020112705.tif 000005
【図４】
2020112705.tif 000006
【図５】
2020112705.tif 000007
【手続補正書】
【提出日】平成31年4月19日(2019.4.19)
【手続補正１】
【補正対象書類名】特許請求の範囲
【補正対象項目名】全文
【補正方法】変更
【補正の内容】
【特許請求の範囲】
【請求項１】
眼鏡用のレンズの色を決定する眼鏡用レンズ色の決定方法であって、
異なる色の色紙を対象者が順次持ち見て体幹バランスがより良かった結果が得られた２つの異なる色紙の色の情報を取得する色取得工程と、
前記色取得工程で取得した２つの異なる色の情報を基に、少なくとも１色の眼鏡のレンズ色を決定する決定工程と、
前記決定工程で決定したレンズ色の情報を出力する出力工程と、
を有する眼鏡用レンズ色の決定方法。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】変更
【補正の内容】
【０００８】
前記課題を解決するために、本発明の第１の態様は、眼鏡用のレンズの色を決定する眼鏡用レンズ色の決定方法であって、異なる色の色紙を対象者が順次持ち見て体幹バランスがより良かった結果が得られた２つの異なる色紙の色の情報を取得する色取得工程と、前記色取得工程で取得した２つの異なる色の情報を基に、少なくとも１色の眼鏡のレンズ色を決定する決定工程と、前記決定工程で決定したレンズ色の情報を出力する出力工程と、を有する眼鏡用レンズ色の決定方法である。
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正１０】
【補正対象書類名】明細書
【補正対象項目名】００１３
【補正方法】変更
【補正の内容】
【００１３】
本発明の前記第１の態様によれば、眼鏡用レンズ色の決定方法は、２つの異なる色の情報を基に、眼鏡のレンズ色をより適切に選定できる。
【手続補正１１】
【補正対象書類名】明細書
【補正対象項目名】００１４
【補正方法】削除
【補正の内容】